(57)【要約】      （修正有）【課題】薄型テレビの背面を簡単に固定して、その転倒を防止するように取り付けが可能で、しかも納まりが良く外観もスッキリした仕舞いが行える耐震廻り縁装置を提供する。【解決手段】廻り縁を補強してこの廻り縁に家具の荷重を保持させ、好ましくは支柱の上端を廻り縁に接合し、家具をスマートかつ強固に躯体と結合した状態で設置できるようにする。そのために、廻り縁Ａの上部ベースチャンネル３にその略全長に亘る支持部７を設け、天井１と壁面２との境界部に上部ベースチャンネル３を装着して、家具Ｆの荷重を受ける取付部材６の上端を前記支持部７に接合するようにした。【選択図】図３
2009027655.tif 000002
【特許請求の範囲】
【請求項１】
上部ベースチャンネル３にその略全長に亘る支持部７を設け、天井１と壁面２との境界部に上部ベースチャンネル３を装着して、家具Ｆの荷重を受ける支柱５の上端を前記支持部７に接合された取付部材６を介して上部ベースチャンネル３に連結して成ることを特徴とする耐震廻り縁装置。
【請求項２】
廻り縁Ａを横長長尺の上部ベースチャンネル３とその外方を覆う上部カバー８で構成し、上部ベースチャンネル３にその略全長に亘る支持部７を設け、天井１と壁面２との境界部に上部ベースチャンネル３を装着して、家具Ｆの荷重を受ける支柱５の上端を前記支持部７に接合された取付部材６を介して上部ベースチャンネル３に連結して成ることを特徴と耐震廻り縁装置。
【請求項３】
支持部７に係合された取付部材６の下方に装着された押え具９を支持部７の下面に当接させた請求項１又は２に記載の耐震廻り縁装置。
【発明の詳細な説明】
【技術分野】
【０００１】
本発明は、家具、殊に最近急増してきた薄型テレビを設置するに当たり、壁面の適所に支柱を強固に設置し、その支柱に転倒しないように簡単に取付施工するための耐震廻り縁装置に関するものである。
【背景技術】
【０００２】
最近増えてきている薄型テレビは、例えばパソコン用やパーソナルタイプの小型のものは簡単な設置台にテレビの下部を保持して自立させているが、ある程度以上のサイズのものでは壁面などに設置用の取り付け枠を工事により設置し、その取り付け枠にテレビの背面を取り付けるようにしている。
【０００３】
また一般家庭ではいわゆるテレビボードのような家具のテレビ設置スペースにテレビを納めている。小型テレビであれば薄型の場合でも設置台のみで良いが、大型になると、転倒防止のために、壁面に上記の取り付け枠を工事で取り付け、それにテレビの背面を固定するようにしている。
【０００４】
しかしながら薄型とはいえ重量のある大型のテレビを固定する取り付け枠はねじくぎが効く箇所でないと取り付けができず、場所的に制約がある。テレビボードなどの家具を設置した場所でそのまま取り付け枠を設置できるとは限らず、取り付け枠を使えない場合は転倒する危険性が避けられず、対応が迫られている。
【０００５】
また一般的に設置された家具の耐震強度を持たせるものとして、天井からワイヤーなどでテンションを掛けておくタイプもあるが、家屋の内装や家具の外観にそぐわず、見栄えが良いとは言えない上に、補強度も左程大きいとは言えなかった。他のタイプでは、天井と床との間に突っ張って設置されたポールに薄型テレビなどを設置するもの等が提案されてきているが、ポールは壁面に補強できない場合も多く、強度的に不満があるものであった。
【特許文献１】特開平８−２４２９５５号
【特許文献２】特開平９−１９３４８号
【特許文献３】特開２００６−２８７５６２号
【特許文献４】実用新案登録第３１２１６２１号
【発明の開示】
【発明が解決しようとする課題】
【０００６】
本発明は、薄型テレビその他の大型家具の背面を簡単に固定してその転倒を防止するように取り付けが可能で、しかも納まりが良く外観もスッキリした仕舞いが行える耐震廻り縁装置に関するものである。
【課題を解決するための手段】
【０００７】
本発明の主たる特徴は、廻り縁Ａを構成する横長長尺の上部ベースチャンネル３にその略全長に亘る支持部７を設け、天井１と壁面２との境界部に上部ベースチャンネル３を装着して、家具Ｆの荷重を受ける取付部材６の上端を５を前記支持部７に接合するようにしたことである。
【発明の効果】
【０００８】
本発明にあっては上述のように、廻り縁Ａを構成する上部ベースチャンネル３にその略全長に亘る支持部７を設け、天井１と壁面２との境界部に上部ベースチャンネル３を装着して、家具Ｆの荷重を受ける取付部材６の上端を前記支持部７に接合するようにしたから、壁面２に沿った任意の位置で家具Ｆの荷重を受け止めることができる。
【０００９】
この場合、上部ベースチャンネル３は壁面上端のネジなどが利く部位に取付けることができるので、上部ベースチャンネル３は構造躯体と一体化して垂直荷重に対する強度は十分に確保できる。しかも上部ベースチャンネル３は天井１と壁面２の境界に装着され、必要に応じて外方が上部カバー８で覆われることにより通常の建築家屋にはつき物の廻り縁を構成することになり、補強構造により違和感がなく外観を損ねることがない。即ち、従来のワイヤーなどで吊り下げるもののように外観的に違和感が生ずることがないのである。
【００１０】
また、支持部７に係合された取付部材６の下方に押え具９を装着して支持部７の下面に押え具９を当接させておくと、上下振動で支柱５や家具Ｆが浮き上がろうとしても、取付部材６が支持部７の浮上がりを阻止し、両者の結合部分が脱落することを防止できる。
【００１１】
更に下端が床面４に接地した支柱５の上端を、取付部材６を介して上部ベースチャンネル３に接合しておくと、支柱５は構造躯体に強固に設置できて、この支柱５がいわば構造柱体を構成することになり、この支柱５に設置する家具Ｆの耐震性を確保し、地震時の転倒事故をより一層減少できるものである。
【発明を実施するための最良の形態】
【００１２】
以下本発明を添付図面に基づき詳細に説明する。図１は本発明の一実施例の概略を示すもので、壁面２上端には天井１との境界に近接して廻り縁Ａが、床面４には壁面２に近接して幅木Ｂが現場施工で配設される。廻り縁Ａはアルミニウム、ステンレス、鉄、真鍮等強度のある素材で形成された上部ベースチャンネル３の外方を、化粧のために合成樹脂で形成されたモールとしての上部カバー８で覆って形成される。他方、幅木Ｂはアルミニウム、ステンレス、鉄、真鍮等強度のある素材で形成された下部ベースチャンネル１３に、これも外方を化粧のために合成樹脂で形成されたモールとしての下部カバー１８で覆って形成される。上部カバー８、下部カバー１８は樹脂の他、木製であっても、金属製であっても勿論構わない。
【００１３】
そして１本又は２本以上の支柱５の上下端がこの廻り縁Ａと幅木Ｂに接合されて立設され、薄型テレビやその他の家具Ｆが装着・設置されるものである。尚、支柱５の下端は床面４に当接させるだけでも構わない。
【００１４】
図２は本発明の一実施例の詳細を示すもので、上部ベースチャンネル３は垂直な横長帯状の基面１０の上下の中央部に全長に渡り先端が上向きの引っ掛け用の支持部７が設けられ、上端には差込溝１１が施され、下端縁には係止溝１２が施される。差込溝１１の上下の対向面にはそれぞれ必要に応じて楔状の抜け止めが施される。上部ベースチャンネル３は垂直な横長帯状の基面１０が壁面２上端の釘やネジが利く個所（背部に柱などの構造躯体が存在する個所）でネジ等により固着される。
【００１５】
他方、上部カバー８の上縁には差込片１４が設けられ、下縁には係止片１５が設けられていて、上部ベースチャンネル３の係止溝１２に係止片１５を係合した状態で、差込溝１１に差込片１４が嵌合される。この嵌合状態では、差込片１４の両面又は片面に施された楔状のスリットが差込溝１１の抜け止めに係合して保持される。
【００１６】
支柱５は上記上部ベースチャンネル３と同様、アルミニウム、ステンレス、鉄、真鍮等強度のある素材で形成されるもので、上端に取付部材６が装着される。図示例では取付部材６の下端部を支柱５の上端に上下位置決めしてボルト１６等で固定するようにしている。
【００１７】
この取付部材６はこれもアルミニウム、ステンレス、鉄、真鍮等強度のある素材で形成されており、上端には下方に折り返されたフック１７を有し、図３のように前記支持部７に上方より係合するようになっている。また、フック１７が支持部７に係合した状態で、取付部材６の上端よりやや下方に装着された押え具９が支持部７の下端に当接して抜け止めとなる。１９はその装着のためのボルトである。また必要に応じて取付部材６の上方部に施された凹所２０に押え具９が係合するようにしておくことができる。
【００１８】
幅木Ｂの下部ベースチャンネル１３は上開口の溝部２１を有し、下部カバー１８下面に垂設された係止片２８、２９が溝部２１に係合するようになっている。支柱５の下端は接続ブロック２５を介して下部ベースチャンネル１３に保持される。接続ブロック２５は水平な載置台３０の上下に差込ボス３１と差込脚３２が突設され、図４のように差込ボス３１が支柱５の下端に嵌合され、載置台３０が下部ベースチャンネル１３の溝部２１上縁に当接した状態で差込脚３２が溝部２１に係合される。これらの接合部分の外方は下部カバー１８で覆われる。尚、図５のように２枚の係止片２８、２９に施された抜け止めが溝部２１の開口部の突条に弾接するようにできる。
【００１９】
廻り縁Ａの上部カバー８及び幅木Ｂの下部カバー１８には施工時に必要に応じて取付部材６及び接続ブロック２５を挿通するための切欠３３、３４が位置決めして施される。また薄型テレビやその他の家具Ｆは所定の金具やボードを介して支柱５に装着されるが、支柱５は１本又は複数本を用いることができる。また、支柱５の下端は、上記以外に床面４に接地する場合もある。
【００２０】
図６は薄型テレビの設置の一例で、ボード３５の両側を図７のように連結片３６を介してボルト３７、３８で支柱５に装着し、ボード３５に装着された取付枠３９にボルト４０で家具Ｆの背面を保持するようになっている。ボード３５のサイズ、上下位置を調整することにより、家具Ｆのサイズに対応できる。ここで図７は支柱５は片側にボード３５を装着する例で、支柱５の片側のみに連結片３６を介してボード３５が装着できるタイプであり、図８は支柱５の背部の両側を凹ませて両側に連結片３６を介してボード３６を張り出すことができるタイプの例である。
【産業上の利用可能性】
【００２１】
最近富みに増加してきている薄型テレビその他の重量の大きな家具Ｆを室内に設置するに当たり、壁面２に沿った任意の位置で家具Ｆを設置することができるものであり、しかも、支柱５は従来の突っ張りポール的な簡易なものではなく、その上端が上部ベースチャンネル３を介して躯体に結合されるので、耐震強度も確保できることができる。
【００２２】
また支柱５は上部ベースチャンネル３に沿って自在に位置調整が可能であるので、家具Ｆの左右或いは上下の設置位置、家具Ｆの幅に対して簡単に対応でき、しかもどの位置に家具Ｆを取り付けても、耐震を含めた設置強度が一定に確保できる。
【００２３】
しかも、上部ベースチャンネル３は上部カバー８で覆われると通常の建築物では通常に存在する廻り縁を構成するに過ぎないから、違和感が生ずることもない。
【図面の簡単な説明】
【００２４】
【図１】本発明の一実施例の概略図。
【図２】同上の要部の拡大分解斜視図。
【図３】同上の廻り縁の接合部分の拡大断面図。
【図４】同上の幅木の支柱下端部との接合部分の拡大断面図。
【図５】同上の幅木の化粧接合部分の拡大断面図。
【図６】同上の家具の接合部分の一例の概略説明図。
【図７】同上の片持ちタイプの支柱とボードとの接合部分の拡大断面図。
【図８】同上の両持ちタイプの支柱とボードとの接合部分の拡大断面図。
【００２５】
符号の説明
１  天井
２  壁面
３  上部ベースチャンネル
４  床面
５  支柱
６  取付部材
７  支持部
８  上部カバー
９  押え部材
Ａ  廻り縁
Ｆ  家具
【図１】
2009027655.tif 000003
【図２】
2009027655.tif 000004
【図３】
2009027655.tif 000005
【図４】
2009027655.tif 000006
【図５】
2009027655.tif 000007
【図６】
2009027655.tif 000008
【図７】
2009027655.tif 000009
【図８】
2009027655.tif 000010